(57)【要約】【課題】  容易に自動点火を行うことができるバーナー装置を提供することである。【解決手段】  バーナー部（１４）を備えた点火用バーナー装置（１０）であって、バーナー部が、筒形の本体（１４ａ）と、本体に設けられた点火栓（１４ｂ）と、本体の点火栓と燃焼部（１２）との間に設けられた液体燃料注入口（１４ｃ）と、本体の点火栓より燃焼部から離れた箇所に設けられた空気／ガス流入口（１４ｄ）とを有していることを特徴とする装置が提供される。【選択図】  図１
2010255897.tif 000002
【特許請求の範囲】
【請求項１】
バーナー部を備えた点火用バーナー装置であって、
前記バーナー部が、筒形の本体と、前記本体に設けられた点火栓と、前記本体の点火栓と燃焼部との間に設けられた液体燃料注入口と、前記本体の点火栓より燃焼部から離れた箇所に設けられた空気／ガス流入口とを有していることを特徴とする装置。
【請求項２】
前記本体に、内部の燃焼状態を監視するための覗窓が設けられていることを特徴とする請求項１に記載された装置。
【請求項３】
前記バーナー部が、旋回空気流が発生している燃焼部の側面に取り付けられ、前記バーナー部の火炎出口より空気流旋回方向の下流側から主燃料が注入されるように構成されていることを特徴とする請求項１又は２に記載された装置。
【請求項４】
前記主燃料が前記燃焼部の内壁に沿って流れ落ちるように構成されていることを特徴とする請求項３に記載された装置。
【発明の詳細な説明】
【技術分野】
【０００１】
本発明は一般的に、バーナー装置に関する。より詳細には、本発明は、自動点火を容易に行うことができる点火用バーナー装置に関する。
【背景技術】
【０００２】
燃焼炉やペレット燃焼装置において点火を行う器具として点火用バーナー装置が知られている。
【発明の開示】
【発明が解決しようとする課題】
【０００３】
しかしながら、廃油や廃グリセリンを燃焼させる燃焼機において、通常のバーナー装置で自動点火するのは困難であった。このような燃焼機において、小型のバーナー装置を取り付けて着火することも試みられたが、バーナー装置の火炎噴出口の直径が５０ｍｍ以上あるため、廃油に着火すると、着火バーナーの側に逆火して着火バーナーが焼けてしまうという課題があった。また、着火バーナーから燃焼炉内に送られる燃焼空気は、廃油等の燃料への燃焼移行を阻害することもある。
【０００４】
本発明は、このような現状に鑑みて開発されたものであって、容易に自動点火を行うことができる点火用バーナー装置を提供することを目的とする。
【課題を解決するための手段】
【０００５】
本願請求項１に記載の点火用バーナー装置は、バーナー部を備え、前記バーナー部が、筒形の本体と、前記本体に設けられた点火栓と、前記本体の点火栓と燃焼部との間に設けられた液体燃料注入口と、前記本体の点火栓より燃焼部から離れた箇所に設けられた空気／ガス流入口とを有していることを特徴とするものである。
【０００６】
本願請求項２に記載の点火用バーナー装置は、前記請求項１の装置において、前記本体に、内部の燃焼状態を監視するための覗窓が設けられていることを特徴とするものである。
【０００７】
本願請求項３に記載の点火用バーナー装置は、前記請求項１又は２の装置において、前記バーナー部が、旋回空気流が発生している燃焼部の側面に取り付けられ、前記バーナー部の火炎出口より空気流旋回方向の下流側から主燃料が注入されるように構成されていることを特徴とするものである。
【０００８】
本願請求項４に記載の点火用バーナー装置は、前記請求項３の装置において、前記主燃料が前記燃焼部の内壁に沿って流れ落ちるように構成されていることを特徴とするものである。
【発明の効果】
【０００９】
本発明の装置では、ガス燃焼に必要な空気を送り込むだけなので、空気により着火性が阻害されることがない。また、本発明の装置では、燃焼に使用する空気を分岐して着火に使用するので、設備費を要しない。また、本発明の装置では、着火終了後はそのまま空気を送って燃焼空気として利用することができ、燃焼炉内からの逆火が発生することもない。また、本発明の装置では、ガス単独や液体燃料単独では着火できなかった燃料に容易に着火することができる。また、本発明の装置は、内炎燃焼するバーナで余熱する構造であるため、ガス消費量を少なくすることができる。また、本発明の装置は、バーナーの火炎出口よりも下流側から主燃料を流し込むようになっているため、主燃料への着火を容易に行うことができる。また、主燃料が、ポット等の燃焼部の内壁に沿って流れ落ちることにより燃料が加熱されるので、燃料加熱装置を外部に設ける必要がなくなる。また、覗窓を設けることにより、内部の燃焼状態を容易に監視することができる。さらに、本発明の装置は、制御性がよいので、取り扱いが容易である。
【００１０】
本発明の装置は、ガス消費量１．７ｋｗ／ｈで灯油１００ｋｗ／ｈのパイロット炎を容易に実現することができる。本発明の装置は、ガスの種類を選ばず、広範囲の可燃性液体を使用することができ、パイロット炎の大きさを自由に設定することができる。
【発明を実施するための最良の形態】
【００１１】
次に図面を参照して、ポット式バーナー装置を例にして、本発明の好ましい実施の形態に係る点火用バーナー装置について詳細に説明する。図１は、本発明の好ましい実施の形態に係る点火用バーナー装置を示した平面図、図２は、図１の線２−２に沿って見た断面図である。図１及び図２において全体として参照符号１０で表される本発明の好ましい実施の形態に係る点火用バーナー装置は、図１に示されるように、ポット１２の外周の接線と直交するようにポット１２の側部に配置されたバーナー部１４を備えている。
【００１２】
バーナー部１４は、筒形の本体１４ａと、本体１４ａに設けられた点火栓１４ｂと、本体１４ａの点火栓１４ｂとポット１２との間に設けられた液体燃料注入口１４ｃと、本体１２ａの点火栓１４ｂよりポット１２から離れた箇所に設けられた空気／ガス流入口１４ｄとを有している。
【００１３】
バーナー部１４の本体１４ａは好ましくは、直径１５ｍｍ以下の鋼管で形成されている。空気／ガス流入口１４ｄには、空気流入口１４ｄ１及びガス流入口１４ｄ２が設けられている。
【００１４】
液体燃料注入口１４ｃから注入される液体燃料としては、灯油、重油、アルコール、廃油等の引火点の低いものが使用される。
【００１５】
好ましくは、バーナー部１４には、内部の燃焼状態を監視するためのガラス覗窓１４ｅが設けられている。
【００１６】
また、ボット１２の側部には、旋回空気流の流れ方向の下流側に、ポット１２の外周の接線と直交するように主燃料注入口１６が設けられている。
【００１７】
以上のように構成された本発明の好ましい実施の形態に係る点火用バーナー装置１０の作動について説明する。まず、空気／ガス流入口１４ｄからガスと空気を適当な混合比で供給し、点火栓１４ｂのアークギャップでアークを発生させると、点火栓１４ｂの位置からボット１２の側に向かって、バーナー部１４の本体１４ａ内でガス燃焼が始まる。数秒間、ガスを燃焼させて本体１４ａを加熱した後、液体燃料注入口１４ｃから液体燃料を注入すると、液体燃料は瞬時に蒸発燃焼し始め、ポット１２の側に火炎を噴出する。
【００１８】
本体１４ａの内面に付着した未燃燃料は、液状のままポット１２内に流れ込み、ポット１２の内面に伝わってポット１２内部の燃料と混合される。また、一部の燃料は、炉内に吹き込まれる燃焼空気に流され、バーナー部１４の下流に位置する主燃料注入口１６から流入する主燃料にも直接着火する動作をする。
【００１９】
本発明は、以上の発明の実施の形態に限定されることなく、特許請求の範囲に記載された発明の範囲内で、種々の変更が可能であり、それらも本発明の範囲内に包含されるものであることはいうまでもない。
【００２０】
例えば、前記実施の形態では、ポット式バーナー装置に関連して説明されているが、本発明をポット式バーナー装置以外の他の燃焼部・燃焼筒を備えた装置に利用することができる。
【図面の簡単な説明】
【００２１】
【図１】本発明の好ましい実施の形態に係る点火用バーナー装置を示した平面図である。
【図２】図１の線２−２に沿って見た断面図である。
【符号の説明】
【００２２】
１０  点火用バーナー装置
１２  ポット
１４  バーナー部
１４ａ  本体
１４ｂ  点火栓
１４ｃ  液体燃料注入口
１４ｄ  空気／ガス流入口
１４ｅ  ガラス覗窓
１６  主燃料注入口
【図１】
2010255897.tif 000003
【図２】
2010255897.tif 000004